(57)【要約】      （修正有）【課題】受験時間、教育機関での学生の勉強時間、運動選手の訓練時間などを効率的に按配するタイマー表示方法を採用した面積変動式タイマー表示装置を提供する。【解決手段】受験生用時計は、各校時別に予定された試験時間を、当日の試験が全て終了するまでの時間経過とは関係なしに面積が継続的に維持される方式で表示する面積固定式タイマー表示と、各校時別に予定された試験時間の残余試験時間を、時間の経過によって面積が減少する方式で表示する面積変動式タイマー表示と、残余時間を表示する数字表示式タイマー表示と、を一つの時計文字盤に同時に表示する。面積変動式タイマー表示装置は、１０分単位を表示する表示部分と、１分単位を表示する表示部分とから構成されるか、または、５分単位を表示する表示部分と、１分単位を表示する表示部分とから構成される文字盤を有する。【選択図】図１
2007286042.tif 000002
【特許請求の範囲】
【請求項１】
予め入力されたデータによって各校時別に予定された該当の試験時間を、当日の試験が全て終了するまでの時間経過とは関係なしに面積が継続的に維持される方式で表示する面積固定式タイマー表示と、
予め入力されたデータによって各校時別に予定された該当の試験時間の残余試験時間を、時間の経過によって面積が減少する方式で表示する面積変動式タイマー表示と、
数字によって残余時間を表示する数字表示式タイマー表示と、を一つの時計文字盤に同時に表示する方式の時計文字盤を含むこと、
を特徴とする時計。
【請求項２】
１０分単位の量を表示する「Ａ型面積変動式タイマー表示装置」と、１分単位の量を表示する「ａａ型面積変動式タイマー表示装置」を一つの時計文字盤に表示する方式の時計文字盤を含むこと、
を特徴とする面積変動式タイマー表示装置。
【請求項３】
５分単位の量を表示する「Ｂ型面積変動式タイマー表示装置」と、１分単位の量を表示する「ｂｂ型面積変動式タイマー表示装置」を一つの時計文字盤に表示する方式の時計文字盤を含むこと、
を特徴とする面積変動式タイマー表示装置。
【発明の詳細な説明】
【技術分野】
【０００１】
本発明は、受験生に試験時間を一層効率的に配分するため受験生用時計、及び、一般人や学生たちが自分の時間を一層精密かつ容易に管理できるようにする面積変動式タイマー表示装置に関するものである。
【背景技術】
【０００２】
従来のストップウォッチ（タイマー）においては、下記のような問題点があった。
まず、従来の技術は、受験生が各校時別の試験開始時刻及び試験終了時刻を暗記すべきであり、かつ、手動で操作すべきであるので、却って受験生の集中力を分散させていた。
【０００３】
また、従来のストップウォッチは、１校時及び２校時のうち何れであるかを表示しておらず、１校時と２校時の試験時間が異なるとき（例えば、１校時が９０分で、２校時が１００分であるとき）、受験生が試験のみに集中した結果、試験時間を錯覚する場合（例えば、試験時間が１０分残っているが、２０分残っているように誤算する場合）が多く発生し、受験生に致命的な問題を引き起こした。
【０００４】
また、アラーム時計は、予約時刻までの経過時刻や残余時間などを表示していない。
上記のような問題点のため、従来の技術は、受験生に利用されにくかった。
【０００５】
しかも、特許文献１に記載の動作時間自由調整電子時計タイマーは、受験生向けの用途で発明されておらず、効果的な表示装置を備えていない。
【０００６】
更に、特許文献２に記載された面積変動式タイマー表示装置は、１０分単位の面積を表示するという限界を有しており、精密な時間管理に適していなかった。
【特許文献１】大韓民国実用新案公告１９８３-０００１２２８号
【特許文献２】実用新案登録番号２０-０４２０１４７-００-００
【発明の開示】
【発明が解決しようとする課題】
【０００７】
本発明は、受験生が試験場で試験時間を効率的に管理できるように、従来の数字表示方式のタイマーを受験用途で発明したもので、従来のタイマーと従来のデジタル時計の表示方法を引用して、受験生が有用に活用できる文字盤を有する受験生用時計を提供することを目的とする。
【０００８】
本発明のもう1つの目的は、従来の面積変動式タイマー表示装置の限界を改善し、一層精密な面積変動式タイマー表示装置を提供することにある。
【課題を解決するための手段】
【０００９】
上記目的を達成するため、まず、本発明に係る受験生用時計では、予め入力されたデータによって各校時別に予定された該当の試験時間を、当日の試験が全て終了するまでの時間経過とは関係なしに面積が継続的に維持される方式で表示する面積固定式タイマー表示と、予め入力されたデータによって各校時別に予定された該当の試験時間の残余試験時間を、時間の経過によって面積が減少する方式で表示する面積変動式タイマー表示と、数字によって残余時間を表示する数字表示式タイマー表示と、を一つの時計文字盤に同時に表示する方式の時計文字盤を含むことを特徴とする。
【００１０】
上記の特許文献１の技術を引用して回路を設計した後、本発明に係る円形デジタル文字盤と直四角形文字盤に表示する方法を組み合わせると、受験生に効果的な受験生用タイマー時計が完成される。すなわち、本発明は、上記の特許文献１に記載の動作時間自由調整電子時計タイマーを引用して、受験生が有用に活用できる方法に改善したもので、該当する各試験校時の表示と、予め入力されたデータによる残余試験時間の表示のために円形デジタル文字盤と直四角形文字盤を発明することで、受験生の実質的な活用が可能になる。
【００１１】
次に、本発明に係る面積変動式タイマー表示装置では、特許文献２に記載の面積変動式タイマー表示装置を、１０分単位のブロックと１分単位のブロックの２種類、または、５分単位のブロックと１分単位のブロックの２種類に細密化したタイマー表示方法を採用する。
【００１２】
即ち、１０分単位の量を表示する「Ａ型面積変動式タイマー表示装置」と、１分単位の量を表示する「ａａ型面積変動式タイマー表示装置」を一つの時計文字盤に表示する方式の時計文字盤、または、５分単位の量を表示する」Ｂ型面積変動式タイマー表示装置」と、１分単位の量を表示する「ｂｂ型面積変動式タイマー表示装置」を、一つの時計文字盤に表示する方式の時計文字盤を含むことを特徴とする。
【発明の効果】
【００１３】
本発明に係る受験生用時計によると、円形文字盤の現在時刻表示機能（時針、分針、秒針による）が継続的に維持されながら、タイマー（面積固定式）によって各校時別の予定試験時間が表示され、タイマー（面積変動式）によって残余試験時間が表示され、直四角形文字盤の数字表示タイマーによって残余試験時間が表示されるので、受験生は、非常に効率的に時間を管理することができる。また、試験日程の校時別の試験時間がタイマーによって自動的に表示されるので、受験生は、試験時間を暗記したり、それに対して注意を傾ける必要なしに、本発明のタイマー表示に合せて試験に応じることで、試験のみに集中することができる。
【００１４】
すなわち、１校時の試験開始時刻になると、タイマーが自動的に作動して残余時間を表示し、１校時が終了すると、自動的に現在時刻モードに戻り、２校時が開始されると、タイマーが自動的に作動して残余時間を表示し、２校時が終了すると、自動的に現在時刻モードに戻る。３校時、４校時も上記と同様である。ただし、この場合も、面積固定式タイマーは、当日の予定試験時間が全て終了するまで消えずに継続的に表示される。
【００１５】
次に、本発明に係る面積変動式タイマー表示装置によると、１０分単位のブロックと１分単位のブロックの２種類、または、５分単位のブロックと１分単位のブロックの２種類に細密化しえるから、精密度が低かった従来の面積変動式タイマー表示装置を２種類に改善し、精密な残余時間表示装置としての有用性を増大できるという効果がある。即ち、本発明によれば、面積変動式タイマー表示装置を、１０分単位のブロックと１分単位のブロックの２種類、または５分単位のブロックと１分単位のブロックの２種類、で表示することで、残余時刻を非常に精密に表示することができる。さらに、本発明に係るタイマー表示装置によると、残余時間の量をブロックという面積で表すことで、視覚的認知に効率的であり、時間を一層効率的に按配することができる。
【発明を実施するための最良の形態】
【００１６】
１．受験生用時計
本発明に係る受験生用時計によると、「制御回路」と「現在時刻掲示回路」と経て「文字盤」に送られた現在時刻を表示する。このとき、現在時刻は、円形文字盤と直四角形文字盤に同時に表示される。
【００１７】
そして、「ストップウォッチ作動時刻記憶回路」に入力されたデータと一致する時刻（開始）に達すると、「一致時刻検出回路」によって制御回路が文字盤の現在時刻表示をタイマー表示に転換する。円形文字盤には、１校時または２校時などの表示と、面積で表示されるタイマーが表れる。この場合も、円形文字盤のデジタル（またはアナログ）時針、分針及び秒針は消えない。直四角形文字盤には、タイマーが数字で表示される。
【００１８】
「ストップウォッチ作動時刻記憶回路」に入力されたデータと一致する時刻（終了）に達すると、「一致時刻検出回路」によって制御回路が文字盤のタイマー表示を現在時刻表示に転換する。円形文字盤からは、１校時または２校時などの表示と、面積で表示されるタイマーが消える。直四角形文字盤には、現在時刻が数字で表示される。
【００１９】
そして、予約時刻前であっても、タイマーモードに転換すると、時計の文字盤に面積固定式タイマーが表示される。そして、当日の予約されたタイマー作動が全て終了したとき、面積変動式タイマーと一緒に表示が消える。なお、「制御回路」、「現在時刻掲示回路」、「ストップウォッチ作動時刻記憶回路」、「一致時刻検出回路」の構成、及び、回路的結合関係等について、図示はされていないが、この分野の当業者であれば、図面がなくとも、常識的に理解できよう。
【００２０】
以下、図１に基づいて説明する。
図１（ａ）は、平常時モード、すなわち、タイマー作動前の状態を示している。円形文字盤には、現在時刻がデジタル（またはアナログ）時計針で表示され、直四角形文字盤には、現在時刻が数字で表示される。
【００２１】
図１（ｂ）は、予約時間前にタイマーモードに転換した状態を示している。タイマーモードに転換するボタンを押すと、面積固定式タイマー表示が表れ、一日の予約された試験日程と試験時間が表示される。しかし、まだ予約時間になっていないので、面積変動式タイマー表示及び数字表示式タイマーは表れない。まだ作動時間になっていないためである。
【００２２】
図１（ｃ）は、１校時が開始された直後のタイマー作動モードを示している。
１校時が開始されると、タイマーが自動的に作動しながら、円形文字盤には、面積変動式タイマー表示装置によって１校時の試験時間である９０分が表示されると同時に、デジタル（またはアナログ）時計針による現在時刻が表示される。そして、直四角形文字盤には、数字による残余試験時刻が表示される。
【００２３】
図１（ｄ）は、１校時の終了後、２校時が開始される前の平常時モードを示している。
円形文字盤には、デジタル（またはアナログ）時計針による現在時刻が表示され、直四角形文字盤には、数字による現在時刻が表示される。
【００２４】
図１（ｅ）は、２校時の開始後、３０分が経過したときのタイマー作動モードを示している。２校時が開始された後、３０分が経過すると、タイマーが自動的に作動しながら、円形文字盤には、２校時の残余試験時間である７０分が表示されると同時に、デジタル（またはアナログ）時計針による現在時刻が表示される。面積変動式タイマーの表示面積の時間経過に対する減少比率は別途に決定するが、図面には、面積変動式タイマーの表示面積が１０分当り１間ずつ減少する例を示した。直四角形文字盤には、数字による残余試験時間が表示される。
【００２５】
２．面積変動式タイマー表示装置
次に、発明に係る面積変動式タイマー表示装置について、そのタイマー表示方法を説明する。まず、「制御回路」と「現在時刻掲示回路」を経た現在時刻が文字盤に送られることで、現在時刻が表示される。
【００２６】
「ストップウォッチ作動時刻記憶回路」に入力されたデータと一致する時刻に達すると、制御回路は、「一致時刻検出回路」によってタイマー表示を文字盤に表示する。制御回路は、予め入力されたデータを演算し、「１０分（Ａ型）単位面積変動式タイマー表示部分」と「１分（ａａ型）単位面積変動式タイマー表示部分」のブロックをそれぞれ何個ずつ文字盤に表示するかを決定した後、これを文字盤に表示する。「５分（Ｂ型）単位面積変動式タイマー表示部分」と「１分（ｂｂ型）単位面積変動式タイマー表示部分」のブロックについても、同様である。
【００２７】
次いで、制御回路は、「現在時刻掲示回路」と比較して残余時間を演算し、「１０分（Ａ型）単位面積変動式タイマー表示部分」と「１分（ａａ型）単位面積変動式タイマー表示部分」のブロックの個数変更を時計の文字盤に示す。「５分（Ｂ型）単位面積変動式タイマー表示部分」と「１分（ｂｂ型）単位面積変動式タイマー表示部分」のブロックについても同様である。
【００２８】
特に、２種類の面積変動式表示装置のうち、１分（ａａ型）単位面積変動式タイマー表示部分を総９個のブロックで構成し、１分（ｂｂ型）単位面積変動式タイマー表示部分を総４個のブロックで構成した点が本発明の重要な内容である。
【００２９】
１分経過する時ごとに「１分（ａａ型）単位面積変動式タイマー表示部分」のブロックが１個ずつ消え、「１分（ａａ型）単位面積変動式タイマー表示部分」のブロックが全て消えて１分後に、「１０分（Ａ型）単位面積変動式タイマー表示部分」の１個のブロックが消えると同時に、「１分（ａａ型）単位面積変動式タイマー表示部分」の９個のブロックが表れる。
【００３０】
また、１分経過する時ごとに「１分（ｂｂ型）単位面積変動式タイマー表示部分」のブロックが１個ずつ消え、「１分（ｂｂ型）単位面積変動式タイマー表示部分」のブロックが全て消えて１分後に、「５分（Ｂ型）単位面積変動式タイマー表示部分」の１個のブロックが消えると同時に、「１分（ｂｂ型）単位面積変動式タイマー表示部分」の４個のブロックが表れる。
【００３１】
例えば、下記のような面積変動式タイマー表示装置がブロックで表れる。
１．タイマーの残余時間が５５分であるとき、１０分（Ａ型）ブロック５個  ａｎｄ  １分（ａａ型）ブロック５個＝５分（Ｂ型）ブロック１１個  ａｎｄ  １分（ｂｂ型）ブロック０個
２．タイマーの残余時間が５０分であるとき、１０分（Ａ型）ブロック５個  ａｎｄ  １分（ａａ型）ブロック０個＝５分（Ｂ型）ブロック１０個  ａｎｄ  １分（ｂｂ型）ブロック０個
３．タイマーの残余時間が４９分であるとき、１０分（Ａ型）ブロック４個  ａｎｄ  １分（ａａ型）ブロック９個＝５分（Ｂ型）ブロック９個  ａｎｄ  １分（ｂｂ型）ブロック４個
４．タイマーの残余時間が８分であるとき、１０分（Ａ型）ブロック０個  ａｎｄ  １分（ａａ型）ブロック８個＝５分（Ｂ型）ブロック１個  ａｎｄ  １分（ｂｂ型）ブロック３個
【００３２】
次に、図２〜図１３を参照して、更に詳しく説明する。図２〜図７は、「Ａ型面積変動式タイマー表示装置」と「ａａ型タイマー面積変動式表示装置」とを組み合わせてタイマーの残余時間量を面積で表した図である。「Ａ型面積変動式タイマー表示装置」は、一列に配置された１２個の四角形状表示窓として表現され、「ａａ型タイマー面積変動式表示装置」は、「Ａ型面積変動式タイマー表示装置」の下側に一列に配置された９個の円形状表示窓として表現されている。表示窓内に記載された数字は時間を表わすが、その数字が表示される訳ではなく、点灯した（或いは消灯した）表示窓の個数、つまり、表示面積が時間を表わす。
【００３３】
まず、図２は、タイマーが作動する前の状態であり、現在時刻のみが表示されている状態を示す。
【００３４】
図３は、タイマーが作動しはじめる瞬間である。保存されたタイマー作動時間が５５分であるとすると、１０分（Ａ型）単位ブロック５個と、１分（ａａ型）単位ブロック５個が表れている状態を示している。
【００３５】
図４は、タイマーが作動しはじめて１分後の状態であり、残ったタイマー作動時間が５４分であるので、１０分（Ａ型）単位ブロックが５個に維持され、１分（ａａ型）単位ブロックが４個に変動される（これは、１分経過する時ごとに１分（ａａ型）単位ブロックが一個ずつ減少するためである）状態を示している。
【００３６】
図５は、タイマーが作動して５分後の状態であり、残ったタイマー作動時間が５０分であるので、１０分（Ａ型）単位ブロックが５個に維持され、１分（ａａ型）単位ブロックが全て消える（これは、１分経過する時ごとに１分（ａａ型）単位ブロックが一個ずつ減少し、５個のブロックが全て消えた結果である）状態を示している。
【００３７】
図６は、タイマーが作動して６分後の状態であり、残ったタイマー作動時間が４９分であるので、１０分（Ａ型）単位ブロックが４個に変動され、１分（ａａ型）単位ブロックが９個表れる状態を示している。
【００３８】
図７は、残ったタイマー作動時間が８分であるので、１０分（Ａ型）単位ブロックが全て消え、１分（ａａ型）単位ブロックが８個に変動される（これは、１０分経過する時ごとに１０分（Ａ型）単位ブロックが一個ずつ減少し、１分経過する時ごとに１分（ａａ型）単位ブロックが一個ずつ減少した結果である）状態を示している。
【００３９】
図８〜図１３は、「Ｂ型面積変動式タイマー表示装置」と「ｂｂ型タイマー面積変動式表示装置」とを組み合わせてタイマーの残余時間の量を面積で表した図である。「Ｂ型面積変動式タイマー表示装置」は、一列に配置された１２個の四角形状表示窓として表現され、「ｂｂ型タイマー面積変動式表示装置」は、「Ｂ型面積変動式タイマー表示装置」の下側に一列に配置された４個の円形状表示窓として表現されている。
【００４０】
まず、図８は、タイマー作動前の状態であり、現在時刻のみが面積表示されている状態を示している。
【００４１】
図９は、図８の状態から、タイマーが作動しはじめる瞬間を示している。保存されたタイマー作動時間が５５分とし、５分（Ｂ型）単位ブロック１１個が表れ、１分（ｂｂ型）単位ブロックは表れない状態を示している。
【００４２】
図１０は、タイマーが作動しはじめて１分後の状態であり、残ったタイマー作動時間が５４分であるので、５分（Ｂ型）単位ブロックが１０個に変動され、１分（ｂｂ型）単位ブロックが４個表れる（これは、１分経過する時ごとに１分（ｂｂ型）単位ブロックが一個ずつ減少するためである）状態を示している。
【００４３】
図１１は、タイマーが作動して５分後の状態であり、残ったタイマー作動時間が５０分であるので、５分（Ｂ型）単位ブロックが１０個に維持され、１分（Ｂ型）単位ブロックが全て消えた（これは、１分経過する時ごとに１分（ｂｂ型）単位ブロックが一個ずつ減少し、４個のブロックが全て消えた結果である）状態を示している。
【００４４】
図１２は、タイマーが作動して６分後の状態であり、残ったタイマー作動時間が４９分であるので、５分（Ｂ型）単位ブロックが９個に変動され、１分（Ｂ型）単位ブロックが４個表れる状態を示している。
【００４５】
図１３は、タイマーが作動して４７分後の状態であり、残ったタイマー作動時間が８分であるので、５分（Ｂ型）単位ブロックが１個だけ残り、１分（ｂｂ型）単位ブロックが３個に変動される（これは、５分経過する時ごとに５分（Ｂ型）単位ブロックが一個ずつ減少し、１分経過する時ごとに１分（ｂｂ型）単位ブロックが一個ずつ減少した結果である）状態を示している。
【図面の簡単な説明】
【００４６】
【図１】本発明に係る円形文字盤と直四角形文字盤とが組み合わされた時計を示す平面図で、（ａ）は、平常時モード、すなわち、タイマー作動前の状態を示し、（ｂ）は、予約時間前にタイマーモードに転換した状態を示し、（ｃ）は、１校時が開始された直後のタイマー作動モードを示し、（ｄ）は、１校時の終了後、２校時が開始する前の平常時モードを示し、（ｅ）は、２校時の開始後、３０分が経過したときのタイマー作動モードを示している。
【図２】「Ａ型面積変動式タイマー表示装置」と「ａａ型タイマー面積変動式表示装置」とを組み合わせてタイマーの残余時間量を面積で表した図で、タイマーが作動する前の状態であり、現在時刻のみが表示されている状態を示す。
【図３】図２の状態からタイマーが作動しはじめる瞬間であり、保存されたタイマー作動時間が５５分である場合の状態を示す図である。
【図４】タイマーが作動しはじめて１分後の状態を示す図である。
【図５】タイマーが作動して５分後の状態を示す図である。
【図６】タイマーが作動して６分後の状態を示す図である。
【図７】残ったタイマー作動時間が８分である状態を示す図である。
【図８】「Ｂ型面積変動式タイマー表示装置」と「ｂｂ型タイマー面積変動式表示装置」とを組み合わせてタイマーの残余時間の量を面積で表した図で、タイマー作動前の状態であり、現在時刻のみが表示されている状態を示す。
【図９】図８の状態から、タイマーが作動しはじめる瞬間の状態を示す図である。
【図１０】タイマーが作動しはじめて１分後の状態を示す図である。
【図１１】タイマーが作動して５分後の状態を示す図である。
【図１２】タイマーが作動して６分後の状態を示す図である。
【図１３】タイマーが作動して４７分後の状態を示す図である。
【図１】
2007286042.tif 000003
【図２】
2007286042.tif 000004
【図３】
2007286042.tif 000005
【図４】
2007286042.tif 000006
【図５】
2007286042.tif 000007
【図６】
2007286042.tif 000008
【図７】
2007286042.tif 000009
【図８】
2007286042.tif 000010
【図９】
2007286042.tif 000011
【図１０】
2007286042.tif 000012
【図１１】
2007286042.tif 000013
【図１２】
2007286042.tif 000014
【図１３】
2007286042.tif 000015